(57)【要約】  本発明の実施例は、ダウンリンク優先サブフレーム、アップリンク優先サブフレーム及び双方向サブフレームを導入して、サブフレームで搬送可能な情報タイプを増加させ、通信システムの情報伝送方式をより柔軟化させることができる。
2019517163.tif 000002
【特許請求の範囲】
【請求項１】
無線通信方法であって、
無線通信システムにおいて、通信デバイスはサブフレームで他の通信デバイスと通信することを含み、
無線通信ネットワークにおけるサブフレームは、ダウンリンク優先サブフレーム、アップリンク優先サブフレーム及び双方向サブフレームのうちの少なくとも１つを含み、
前記ダウンリンク優先サブフレームは、時間ドメイン方向に沿って、ダウンリンク制御チャネル、ダウンリンクチャネル、保護間隔及びアップリンク制御チャネルを順に含み、
前記アップリンク優先サブフレームは、時間ドメイン方向に沿って、ダウンリンク制御チャネル、保護間隔、アップリンクチャネル及びアップリンク制御チャネルを順に含み、
前記双方向サブフレームは、時間ドメイン方向に沿って、ダウンリンク制御チャネル、保護間隔、アップリンクチャネル、ダウンリンクチャネル、保護間隔及びアップリンク制御チャネルを順に含み、
前記ダウンリンク制御チャネルは、ダウンリンク制御情報を伝送するために用いられ、
前記アップリンク制御チャネルは、アップリンク制御情報を伝送するために用いられ、
前記ダウンリンクチャネルは、ダウンリンクデータ及び／又はダウンリンク制御情報を伝送するために用いられ、
前記アップリンクチャネルは、アップリンクデータ及び／又はアップリンク制御情報を伝送するために用いられる、無線通信方法。
【請求項２】
前記ダウンリンク優先サブフレームのアップリンク制御チャネルは、前記ダウンリンク優先サブフレームのダウンリンクチャネル内のダウンリンクデータのＡＣＫ／ＮＡＣＫ情報を伝送するために用いられる、
請求項１に記載の無線通信方法。
【請求項３】
前記アップリンク優先サブフレームのダウンリンク制御チャネルは、前記アップリンク優先サブフレームの１つ前のサブフレーム内のアップリンクデータのＡＣＫ／ＮＡＣＫ情報を伝送するために用いられる、
請求項１又は２に記載の無線通信方法。
【請求項４】
前記双方向サブフレームのダウンリンクチャネルは、前記双方向サブフレームのアップリンクチャネル内のアップリンクデータのＡＣＫ／ＮＡＣＫ情報を伝送するために用いられる、
請求項１乃至３のいずれか１項に記載の無線通信方法。
【請求項５】
前記双方向サブフレームのアップリンク制御チャネルは、前記双方向サブフレームのダウンリンクチャネル内のダウンリンクデータのＡＣＫ／ＮＡＣＫ情報を伝送するために用いられる、
請求項１乃至４のいずれか１項に記載の無線通信方法。
【請求項６】
前記無線通信ネットワークのサブフレームは、さらに、ダウンリンクトランジションサブフレーム、アップリンクトランジションサブフレーム及び双方向トランジションサブフレームのうちの少なくとも１つを含み、
前記ダウンリンクトランジションサブフレームは、時間ドメイン方向に沿って、ダウンリンク制御チャネル、保護間隔、ダウンリンクチャネル、保護間隔、アップリンク制御チャネルを順に含み、
前記アップリンクトランジションサブフレームは、時間ドメイン方向に沿って、ダウンリンク制御チャネル、保護間隔、アップリンクチャネル、保護間隔及びアップリンク制御チャネルを順に含み、
前記双方向トランジションサブフレームは、時間ドメイン方向に沿って、ダウンリンク制御チャネル、保護間隔及びアップリンク制御チャネルを順に含む、
請求項１乃至５のいずれか１項に記載の無線通信方法。
【請求項７】
前記無線通信システムは、第１ダウンリンク優先サブフレーム及び第１双方向サブフレームを含み、ここで、時間ドメイン方向において、前記第１ダウンリンク優先サブフレームは前記第１双方向サブフレームの時間ドメインと位置が同じであり、周波数ドメイン方向において、前記第１ダウンリンク優先サブフレームと前記第１双方向サブフレームとの間にダウンリンクトランジションサブフレームが設けられており、しかも前記ダウンリンクトランジションサブフレームの保護間隔は、前記第１双方向サブフレームのアップリンクチャネルと前記第１ダウンリンク優先サブフレームのダウンリンクチャネルを仕切る、
請求項６に記載の無線通信方法。
【請求項８】
前記無線通信システムは、第１アップリンク優先サブフレーム及び第２双方向サブフレームを含み、ここで、時間ドメイン方向において、前記第１アップリンク優先サブフレームは前記第２双方向サブフレームの時間ドメインと位置が同じであり、周波数ドメイン方向において、前記第１アップリンク優先サブフレームと前記第２双方向サブフレームとの間にアップリンクトランジションサブフレームが設けられており、しかも前記アップリンクトランジションサブフレームの保護間隔は、前記第２双方向サブフレームのダウンリンクチャネルと前記第１アップリンク優先サブフレームのアップリンクチャネルを仕切る、
請求項６又は７に記載の無線通信方法。
【請求項９】
前記無線通信システムは、第２アップリンク優先サブフレーム及び第２ダウンリンク優先サブフレームを含み、ここで、時間ドメイン方向において、前記第２アップリンク優先サブフレームは前記第２ダウンリンク優先サブフレームの時間ドメインと位置が同じであり、周波数ドメイン方向において、前記第２アップリンク優先サブフレームと前記第２ダウンリンク優先サブフレームとの間に双方向トランジションサブフレームが設けられており、しかも前記双方向トランジションサブフレームの保護間隔は、前記第２アップリンク優先サブフレームのアップリンクチャネルと前記第２ダウンリンク優先サブフレームのダウンリンクチャネルを仕切る、
請求項６乃至８のいずれか１項に記載の無線通信方法。
【請求項１０】
前記双方向サブフレームのダウンリンク制御チャネルは、前記双方向サブフレームのアップリンクチャネルとダウンリンクチャネルとの割合情報を含む、
請求項１乃至９のいずれか１項に記載の無線通信方法。
【請求項１１】
前記無線通信ネットワークにおけるサブフレームのダウンリンク制御チャネルは、サブフレームタイプを示すための情報を含む、
請求項１乃至１０のいずれか１項に記載の無線通信方法。
【請求項１２】
通信デバイスであって、
無線通信システムにおいて、サブフレームで他の通信デバイスと通信するように構成される通信ユニットを含み、
前記無線通信ネットワークにおけるサブフレームは、ダウンリンク優先サブフレーム、アップリンク優先サブフレーム及び双方向サブフレームのうちの少なくとも１つを含み、
前記ダウンリンク優先サブフレームは、時間ドメイン方向に沿って、ダウンリンク制御チャネル、ダウンリンクチャネル、保護間隔及びアップリンク制御チャネルを順に含み、
前記アップリンク優先サブフレームは、時間ドメイン方向に沿って、ダウンリンク制御チャネル、保護間隔、アップリンクチャネル及びアップリンク制御チャネルを順に含み、
前記双方向サブフレームは、時間ドメイン方向に沿って、ダウンリンク制御チャネル、保護間隔、アップリンクチャネル、ダウンリンクチャネル、保護間隔及びアップリンク制御チャネルを順に含み、
前記ダウンリンク制御チャネルは、ダウンリンク制御情報を伝送するために用いられ、
前記アップリンク制御チャネルは、アップリンク制御情報を伝送するために用いられ、
前記ダウンリンクチャネルは、ダウンリンクデータ及び／又はダウンリンク制御情報を伝送するために用いられ、
前記アップリンクチャネルは、アップリンクデータ及び／又はアップリンク制御情報を伝送するために用いられる、通信デバイス。
【請求項１３】
前記ダウンリンク優先サブフレームのアップリンク制御チャネルは、前記ダウンリンク優先サブフレームのダウンリンクチャネル内のダウンリンクデータのＡＣＫ／ＮＡＣＫ情報を伝送するために用いられる、
請求項１２に記載の通信デバイス。
【請求項１４】
前記アップリンク優先サブフレームのダウンリンク制御チャネルは、前記アップリンク優先サブフレームの１つ前のサブフレーム内のアップリンクデータのＡＣＫ／ＮＡＣＫ情報を伝送するために用いられる、
請求項１２又は１３に記載の通信デバイス。
【請求項１５】
前記双方向サブフレームのダウンリンクチャネルは、前記双方向サブフレームのアップリンクチャネル内のアップリンクデータのＡＣＫ／ＮＡＣＫ情報を伝送するために用いられる、
請求項１２乃至１４のいずれか１項に記載の通信デバイス。
【請求項１６】
前記双方向サブフレームのアップリンク制御チャネルは、前記双方向サブフレームのダウンリンクチャネル内のダウンリンクデータのＡＣＫ／ＮＡＣＫ情報を伝送するために用いられる、
請求項１２乃至１５のいずれか１項に記載の通信デバイス。
【請求項１７】
前記無線通信ネットワークのサブフレームは、さらに、ダウンリンクトランジションサブフレーム、アップリンクトランジションサブフレーム及び双方向トランジションサブフレームのうちの少なくとも１つを含み、
前記ダウンリンクトランジションサブフレームは、時間ドメイン方向に沿って、ダウンリンク制御チャネル、保護間隔、ダウンリンクチャネル、保護間隔、アップリンク制御チャネルを順に含み、
前記アップリンクトランジションサブフレームは、時間ドメイン方向に沿って、ダウンリンク制御チャネル、保護間隔、アップリンクチャネル、保護間隔及びアップリンク制御チャネルを順に含み、
前記双方向トランジションサブフレームは、時間ドメイン方向に沿って、ダウンリンク制御チャネル、保護間隔及びアップリンク制御チャネルを順に含む、
請求項１２乃至１６のいずれか１項に記載の通信デバイス。
【請求項１８】
前記無線通信システムは、第１ダウンリンク優先サブフレーム及び第１双方向サブフレームを含み、ここで、時間ドメイン方向において、前記第１ダウンリンク優先サブフレームは前記第１双方向サブフレームの時間ドメインと位置が同じであり、周波数ドメイン方向において、前記第１ダウンリンク優先サブフレームと前記第１双方向サブフレームとの間にダウンリンクトランジションサブフレームが設けられており、しかも前記ダウンリンクトランジションサブフレームの保護間隔は、前記第１双方向サブフレームのアップリンクチャネルと前記第１ダウンリンク優先サブフレームのダウンリンクチャネルを仕切る、
請求項１７に記載の通信デバイス。
【請求項１９】
前記無線通信システムは、第１アップリンク優先サブフレーム及び第２双方向サブフレームを含み、ここで、時間ドメイン方向において、前記第１アップリンク優先サブフレームは前記第２双方向サブフレームの時間ドメインと位置が同じであり、周波数ドメイン方向において、前記第１アップリンク優先サブフレームと前記第２双方向サブフレームとの間にアップリンクトランジションサブフレームが設けられており、しかも前記アップリンクトランジションサブフレームの保護間隔は、前記第２双方向サブフレームのダウンリンクチャネルと前記第１アップリンク優先サブフレームのアップリンクチャネルを仕切る、
請求項１７又は１８に記載の通信デバイス。
【請求項２０】
前記無線通信システムは、第２アップリンク優先サブフレーム及び第２ダウンリンク優先サブフレームを含み、ここで、時間ドメイン方向において、前記第２アップリンク優先サブフレームは前記第２ダウンリンク優先サブフレームの時間ドメインと位置が同じであり、周波数ドメイン方向において、前記第２アップリンク優先サブフレームと前記第２ダウンリンク優先サブフレームとの間に双方向トランジションサブフレームが設けられており、しかも前記双方向トランジションサブフレームの保護間隔は、前記第２アップリンク優先サブフレームのアップリンクチャネルと前記第２ダウンリンク優先サブフレームのダウンリンクチャネルを仕切る、
請求項１７乃至１９のいずれか１項に記載の通信デバイス。
【請求項２１】
前記双方向サブフレームのダウンリンク制御チャネルは、前記双方向サブフレームのアップリンクチャネルとダウンリンクチャネルとの割合情報を含む
請求項１２乃至２０のいずれか１項に記載の通信デバイス。
【請求項２２】
前記無線通信ネットワークにおけるサブフレームのダウンリンク制御チャネルは、サブフレームタイプを示すための情報を含む、
請求項１２乃至２１のいずれか１項に記載の通信デバイス。
【発明の詳細な説明】
【技術分野】
【０００１】
本発明の実施例は、無線通信分野に関し、具体的に、無線通信方法及びデバイスに関する。
【背景技術】
【０００２】
長期的な進化（ＬＴＥ：Ｌｏｎｇ  Ｔｅｒｍ  Ｅｖｏｌｕｔｉｏｎ）の時分割複信（ＴＤＤ：Ｔｉｍｅ  Ｄｉｖｉｓｉｏｎ  Ｄｕｐｌｅｘｉｎｇ）システムは、通常、７種のアップリンク／ダウンリンクサブフレームの構成を備え、例えば、これを表１に示す。
【表１】
2019517163.tif 000003
【０００３】
表１において、各サブフレームの期間が１ｍｓであり、Ｄがダウンリンクサブフレームを示し、Ｕがアップリンクサブフレームを示し、Ｓが特別サブフレームを示す。
【０００４】
図１は特別サブフレームの構成図である。図１において、サブフレーム１が特別サブフレームであり、特別サブフレームは、ダウンリンクパイロットタイムスロット（ＤｗＰＴＳ：Ｄｏｗｎｌｉｎｋ  Ｐｉｌｏｔ  Ｔｉｍｅ  Ｓｌｏｔ）、ＧＰ及びアップリンクパイロットタイムスロット（ＵｐＰＴＳ：Ｕｐｌｉｎｋ  Ｐｉｌｏｔ  Ｔｉｍｅ  Ｓｌｏｔ）を含む。ＤｗＰＴＳは、ダウンリンクデータを伝送することができる。ＧＰは、保護間隔であり、ダウンリンクからアップリンクへの切替に用いられる。ＵｐＰＴＳは、通常、１〜２つのアップリンクシンボル（ｓｙｍｂｏｌ）を含み、アップリンクサウンディング基準信号（ＳＲＳ：Ｓｏｕｎｄｉｎｇ  Ｒｅｆｅｒｅｎｃｅ  Ｓｉｇｎａｌ）又はアップリンク制御チャネルを伝送するために用いられる。
【０００５】
以上のように、従来ＴＤＤシステムにおけるサブフレームの内部構成が固定であり、1つのサブフレームに伝送される情報タイプは限られているため、通信システムの情報伝送方式が制限され、今後の通信システム（例えば５Ｇ）の要求を満たさない可能性がある。
【発明の概要】
【発明が解決しようとする課題】
【０００６】
本願は、通信システムの情報伝送方式が制限されるという課題を解決することができる無線通信方法及びデバイスを提供する。
【課題を解決するための手段】
【０００７】
第１形態は、通信方法を提供し、当該方法は、無線通信システムにおいて、通信デバイスはサブフレームで他の通信デバイスと通信することを含み、前記無線通信ネットワークにおけるサブフレームは、ダウンリンク優先サブフレーム、アップリンク優先サブフレーム及び双方向サブフレームのうちの少なくとも１つを含み、ここで、前記ダウンリンク優先サブフレームは、時間ドメイン方向に沿って、ダウンリンク制御チャネル、ダウンリンクチャネル、保護間隔及びアップリンク制御チャネルを順に含み、前記アップリンク優先サブフレームは、時間ドメイン方向に沿って、ダウンリンク制御チャネル、保護間隔、アップリンクチャネル及びアップリンク制御チャネルを順に含み、前記双方向サブフレームは、時間ドメイン方向に沿って、ダウンリンク制御チャネル、保護間隔、アップリンクチャネル、ダウンリンクチャネル、保護間隔及びアップリンク制御チャネルを順に含み、ここで、前記ダウンリンク制御チャネルは、ダウンリンク制御情報を伝送するために用いられ、前記アップリンク制御チャネルは、アップリンク制御情報を伝送するために用いられ、前記ダウンリンクチャネルは、ダウンリンクデータ及び／又はダウンリンク制御情報を伝送するために用いられ、前記アップリンクチャネルは、アップリンクデータ及び／又はアップリンク制御情報を伝送するために用いられる。
【０００８】
第２形態は、通信デバイスを提供し、当該通信デバイスが基地局であってもよいし、端末であってもよく、当該通信デバイスは、第１形態における方法を実現する可能なモジュールを含む。
【０００９】
第３形態は、通信デバイスを提供し、メモリー、プロセッサ及び送受信機を含み、前記メモリーにプログラムが記憶され、前記プロセッサは、プログラムを実行し、前記プログラムが実行される場合、前記送受信機で前記第１形態における方法を実行するように構成される。
【００１０】
第４形態は、コンピュータ可読媒体を提供し、前記コンピュータ可読媒体に通信デバイスが実行する可能なプログラムコードが記憶され、前記プログラムコードに第１形態における方法を実行するための命令が含まれる。
【００１１】
本願において、通信システムは、ダウンリンク優先サブフレーム、アップリンク優先サブフレーム及び双方向サブフレームのうちの少なくとも１つのサブフレームを導入して、サブフレームで搬送可能な情報タイプを増加させ、通信システムの情報伝送方式をより柔軟化させる。
【図面の簡単な説明】
【００１２】
【図１】特別サブフレームの構成図である。
【図２】本発明の実施例における基本サブフレームの構成図である。
【図３】本発明の実施例におけるＡＣＫ／ＮＡＣＫフィードバックタイムシーケンス図である。
【図４】本発明の実施例におけるＡＣＫ／ＮＡＣＫフィードバックタイムシーケンス図である。
【図５】本発明の実施例におけるＡＣＫ／ＮＡＣＫフィードバックタイムシーケンス図である。
【図６】本発明の実施例におけるトランジションサブフレームの構成図である。
【図７】本発明の実施例における基本サブフレームとトランジションサブフレームとの組合せの例の図である。
【図８】本発明の実施例における基本サブフレームとトランジションサブフレームとの組合せの例の図である。
【図９】本発明の実施例における基本サブフレームとトランジションサブフレームとの組合せの例の図である。
【図１０】本発明の実施例における通信デバイスの構成図である。
【図１１】本発明の実施例における通信デバイスの構成図である。
【発明を実施するための形態】
【００１３】
以下に本発明の実施例の図面を組み合わせながら、本発明の実施例に係る技術的解決策を明確で、全面的に説明し、明らかに、説明した実施例は本発明の一部の実施例だけであり、全ての実施例ではない。本発明の実施例に基づき、当業者が創造的な労力を要せずに得た他の実施例は、全て本発明の保護範囲に属する。
【００１４】
なお、本発明の実施例は、各種の通信システム、例えばモバイル通信のグローバルシステム（ＧＳＭ：Ｇｌｏｂａｌ  Ｓｙｓｔｅｍ  ｏｆ  Ｍｏｂｉｌｅ  ｃｏｍｍｕｎｉｃａｔｉｏｎ）、符号分割多重アクセス（ＣＤＭＡ：Ｃｏｄｅ  Ｄｉｖｉｓｉｏｎ  Ｍｕｌｔｉｐｌｅ  Ａｃｃｅｓｓ）システム、広帯域符号分割多元接続（ＷＣＤＭＡ：Ｗｉｄｅｂａｎｄ  Ｃｏｄｅ  Ｄｉｖｉｓｉｏｎ  Ｍｕｌｔｉｐｌｅ  Ａｃｃｅｓｓ）システム、汎用パケット無線サービス（ＧＰＲＳ：Ｇｅｎｅｒａｌ  Ｐａｃｋｅｔ  Ｒａｄｉｏ  Ｓｅｒｖｉｃｅ）、長期的な進化（ＬＴＥ：Ｌｏｎｇ  Ｔｅｒｍ  Ｅｖｏｌｕｔｉｏｎ）システム、高度な長期的進化（ＬＴＥ−Ａ：Ａｄｖａｎｃｅｄ  ｌｏｎｇ  ｔｅｒｍ  ｅｖｏｌｕｔｉｏｎ）システム、ユニバーサル移動体通信システム（ＵＭＴＳ：Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）、５Ｇ等に適用されることができ、以下、５Ｇの要求を例とする。
【００１５】
５Ｇシステムが主に高周波数ビンに配置され、この場合、そのセルのカバレッジ範囲が４Ｇ及び３Ｇシステムと比べ、大幅に小さくなる。セル範囲が小さくなると、各セルのユーザー数も小さくなり、この場合、セルのデータトラフィックの変化が速い可能性がある。セルのデータトラフィックの高速変化によく適応するために、５ＧシステムのＴＤＤは、アップリング／ダウンリンクチャネルリソースを高速、柔軟に構成する能力を備える必要がある。ＴＤＤシステムは、７種のＴＤＤ構成を切り替えることによって、アップリング／ダウンリンクデータトラフィックの変化に適応することができる。従来ＴＤＤの構成がフレーム（ｆｒａｍｅ）を単位として定義されたものであり、従来システムにおいて最も速い切替速度は１０ｍｓであり、５Ｇシステムのトラフィックの動的変化要求を満たさない可能性がある。
【００１６】
より多くのＴＤＤ構成を定義してアップリング／ダウンリンクトラフィックの構成をより正確に実現することができるが、この場合、より複雑な確認信号のタイムシーケンスデザインという課題を伴う。従来ＬＴＥシステムにおける伝送確認信号(ＡＣＫ／ＮＡＣＫ)が固定の時間順序を採用し、ある特定の構成としては、あるサブフレームの確認信号は、その後の予め設定された1つのサブフレームで伝送されることがある。例えば、システムにＮ種のＴＤＤ構成が存在する場合、従来ＬＴＥシステムのタイムシーケンスデザイン原則に従って、Ｎ＊Ｎ種の異なるタイムシーケンス関係を考える必要がある。これにより、未来の５Ｇシステムが制約される。
【００１７】
そのため、従来の７種の構成よりも柔軟にアップリング／ダウンリンクデータトラフィックの変化を適応することができるサブフレーム構成を提供する必要がある。
【００１８】
図２は本発明の実施例におけるサブフレームの構成図である。図２に示すように、無線通信システムにおけるサブフレームは、ダウンリンク優先サブフレーム、アップリンク優先サブフレーム及び双方向サブフレームのうちの少なくとも１つを含み、ここで、ダウンリンク優先サブフレームは、時間ドメイン方向に沿って、ダウンリンク制御チャネル、ダウンリンクチャネル、保護間隔及びアップリンク制御チャネルを順に含み、アップリンク優先サブフレームは、時間ドメイン方向に沿って、ダウンリンク制御チャネル、保護間隔、アップリンクチャネル及びアップリンク制御チャネルを順に含み、双方向サブフレームは、時間ドメイン方向に沿って、ダウンリンク制御チャネル、保護間隔、アップリンクチャネル、ダウンリンクチャネル、保護間隔及びアップリンク制御チャネルを順に含み、ここで、ダウンリンク制御チャネルは、ダウンリンク制御情報を伝送するために用いられ、アップリンク制御チャネルは、アップリンク制御情報を伝送するために用いられ、ダウンリンクチャネルは、ダウンリンクデータ及び／又はダウンリンク制御情報を伝送するために用いられ、アップリンクチャネルは、アップリンクデータ及び／又はアップリンク制御情報を伝送するために用いられる。
【００１９】
なお、サブフレームがチャネルを含むことは、サブフレームがチャネルに対応する時間ドメインリソース又は時間−周波数リソースを含むことである。
【００２０】
本発明の実施例におけるサブフレーム構成は、従来７種の構成と比べ、アップリング／ダウンリンクデータトラフィックの変化をより柔軟に適用することができる。
【００２１】
いくつかの実施例において、時間ドメインに沿う方向は、時間ドメインに沿ってインクリメントして行く方向であり、いくつかの実施例において、時間ドメインに沿う方向は、時間ドメインに沿ってデクリメントしている方向を意味しても良い。
【００２２】
いくつかの実施例において、無線通信システムにおけるサブフレームの先頭部分は、固定のダウンリンク制御チャネルであっても良く、ダウンリンク制御情報を伝送するために用いられる。いくつかの実施例において、ダウンリンク制御チャネルは、さらに、サブフレームのタイプ情報を伝送するために用いられても良く、端末は、当該ダウンリンク制御チャネルを受信した後、サブフレームのタイプ情報に基づいて、当該サブフレームがダウンリンク優先サブフレーム、アップリンク優先サブフレーム、双方向サブフレームのうちのどちらであるかを判定することができる。
【００２３】
いくつかの実施例において、無線通信システムにおけるサブフレームの最後の部分は、固定のアップリンク制御チャネルであり、アップリンク制御情報を伝送するために用いられる。いくつかの実施例において、当該アップリンク制御情報は、例えば、スケジューリング要求（ＳＲ：Ｓｃｈｅｄｕｌｉｎｇ  Ｒｅｑｕｅｓｔ）、チャネル品質インジケータ（ＣＱＩ：Ｃｈａｎｎｅｌ  Ｑｕａｌｉｔｙ  Ｉｎｄｉｃａｔｏｒ）、Ａ／Ｎ情報（即ちＡＣＫ／ＮＡＣＫ情報）、サウンディング基準信号（ＳＲＳ：Ｓｏｕｎｄｉｎｇ  Ｒｅｆｅｒｅｎｃｅ  Ｓｉｇｎａｌ）及び一次ランダムチャネル（ＰＲＣＨ：Ｐｒｉｍａｒｙ  Ｒａｎｄｏｍ  Ｃｈａｎｎｅｌ）等であっても良い。
【００２４】
上記の実施例において、各サブフレームにダウンリンク及びアップリンク制御チャネルが構成されているため、重要なダウンリンク及びアップリンク制御情報が各サブフレームにおいてリアルタイムに伝送されることができる。
【００２５】
いくつかの実施例において、双方向サブフレームのアップリング／ダウンリンクチャネルの割合情報（アップリング／ダウンリンクチャネルの時間幅での割合）は、基地局により構成されることができる。いくつかの実施例において、この割合情報は、サブフレームの前部のダウンリンク制御チャネルで伝送されることができる。
【００２６】
以上、表１及び図１を参照し、従来のＬＴＥのＴＤＤシステムにおけるサブフレーム構成を説明しており、５ＧシステムにおけるＴＤＤは、上記フレーム構成を採用する場合、大きい遅延という課題を生じる。具体的に、従来ＴＤＤフレーム構成において、多数のサブフレームがアップリンクサブフレーム又はダウンリンクサブフレームである。アップリンク/ダウンリンクデータの伝送については、他のダウンリンク/アップリンクサブフレーム（対応関係が予め設定される）でＡＣＫ／ＮＡＣＫ情報が伝送される必要がある。ＴＤＤ構成の制限によりＡＣＫ／ＮＡＣＫ信号がリアルタイム伝送されない場合、遅延を生じる。このような遅延は、ＬＴＥのＴＤＤのフレーム構成により発生したものである。５Ｇシステムにおいて遅延に対する要求が高く、無線アクセス層の遅延が１ｍｓ（１つサブフレーム）以下に短縮されることを望む。従来ＬＴＥシステムのＴＤＤフレーム構成を流用する場合、５Ｇシステムの遅延要求を確保しにくい。ＴＤＤ構成による遅延発生という課題を解決するために、本発明の実施例は、アップリンク優先サブフレーム、ダウンリンク優先サブフレーム、双方向サブフレームを導入した上で、さらに、これらのサブフレームのアップリンク/ダウンリンクデータのＡＣＫ／ＮＡＣＫフィードバックタイムシーケンスを導入する。
【００２７】
１つの実施例において、ダウンリンク優先サブフレームのアップリンク制御チャネルは、ダウンリンク優先サブフレームのダウンリンクチャネル内のダウンリンクデータのＡＣＫ／ＮＡＣＫ情報を伝送するために用いられ、図３を参照する。
【００２８】
本発明の実施例は、簡単なＡ／Ｎ信号の伝送タイムシーケンスを提供して、ＴＤＤシステムにおけるＡ／Ｎ信号の伝送による遅延を短縮させることができる。
【００２９】
１つの実施例において、アップリンク優先サブフレームのダウンリンク制御チャネルは、アップリンク優先サブフレームの１つ前のサブフレーム内のアップリンクデータのＡＣＫ／ＮＡＣＫ情報を伝送するために用いられ、図４を参照する。
【００３０】
本発明の実施例は、簡単なＡ／Ｎ信号の伝送タイムシーケンスを提供して、ＴＤＤシステムにおけるＡ／Ｎ信号の伝送による遅延を短縮させることができる。
【００３１】
１つの実施例において、双方向サブフレームのダウンリンクチャネルは、双方向サブフレームのアップリンクチャネル内のアップリンクデータのＡＣＫ／ＮＡＣＫ情報を伝送するために用いられ、図５を参照する。
【００３２】
本発明の実施例は、簡単なＡ／Ｎ信号伝送タイムシーケンスを提供して、ＴＤＤシステムにおけるＡ／Ｎ信号の伝送による遅延を短縮させることができる。
【００３３】
１つの実施例において、双方向サブフレームのアップリンク制御チャネルは、双方向サブフレームのダウンリンクチャネル内のダウンリンクデータのＡＣＫ／ＮＡＣＫ情報を伝送するために用いられ、図５を参照する。
【００３４】
本発明の実施例は、簡単なＡ／Ｎ信号の伝送タイムシーケンスを提供して、ＴＤＤシステムにおけるＡ／Ｎ信号の伝送による遅延を短縮させることができる。
【００３５】
上記３つタイプのサブフレームを基礎として、３種のトランジションサブフレーム、即ちダウンリンクトランジションサブフレーム、アップリンクトランジションサブフレーム及び双方向トランジションサブフレームを導入することができる。
【００３６】
図６を参照し、ダウンリンクトランジションサブフレームは、時間ドメイン方向に沿って、ダウンリンク制御チャネル、保護間隔、ダウンリンクチャネル、保護間隔、アップリンク制御チャネルを順に含み、アップリンクトランジションサブフレームは、時間ドメイン方向に沿って、ダウンリンク制御チャネル、保護間隔、アップリンクチャネル、保護間隔及びアップリンク制御チャネルを順に含み、双方向トランジションサブフレームは、時間ドメイン方向に沿って、ダウンリンク制御チャネル、保護間隔及びアップリンク制御チャネルを順に含む。
【００３７】
いくつかの実施例において、トランジションサブフレームのタイプは、サブフレームの最初のダウンリンク制御チャネルに示すことができる。
【００３８】
以下、上記の３種の基本タイプのサブフレーム及びトランジションタイプのサブフレームを参照して、柔軟のシステムスペクトル構成をどのように実現するかを説明する。
【００３９】
いくつかの実施例において、無線通信システムは、第１ダウンリンク優先サブフレーム及び第１双方向サブフレームを含み、ここで、時間ドメイン方向において、第１ダウンリンク優先サブフレームは第１双方向サブフレームの時間ドメインと位置が同じであり、周波数ドメイン方向において、第１ダウンリンク優先サブフレームと第１双方向サブフレームとの間にダウンリンクトランジションサブフレームが設けられており、しかもダウンリンクトランジションサブフレームの保護間隔は、第１双方向サブフレームのアップリンクチャネルと第１ダウンリンク優先サブフレームのダウンリンクチャネルを仕切り、図７を参照する。
【００４０】
具体的に、ダウンリンク優先サブフレームと双方向サブフレームが同じ時間（サブフレーム内）に配置される場合、２つのサブフレームは、周波数ドメインにおいてダウンリンクトランジションサブフレームを挿入し、ダウンリンクトランジションサブフレームの保護タイムスロットを利用してダウンリンク優先サブフレーム内のダウンリンクチャネルと双方向サブフレーム内のアップリンクチャネルを仕切って、双方が隣接する周波数ドメインに競合することを回避することができる。
【００４１】
いくつかの実施例において、図８に示すように、無線通信システムは、第１アップリンク優先サブフレーム及び第２双方向サブフレームを含み、ここで、時間ドメイン方向において、第１アップリンク優先サブフレームは第２双方向サブフレームの時間ドメインと位置がと同じであり、周波数ドメイン方向において、第１アップリンク優先サブフレームと第２双方向サブフレームの間にアップリンクトランジションサブフレームが設けられており、しかもアップリンクトランジションサブフレームの保護間隔は、第２双方向サブフレームのダウンリンクチャネルと第１アップリンク優先サブフレームのアップリンクチャネルを仕切る。
【００４２】
具体的に、アップリンク優先サブフレームと双方向サブフレームが同じ時間（サブフレーム内）に配置される場合、サブフレームは、周波数ドメインにおいてアップリンクトランジションサブフレームを挿入し、アップリンクトランジションサブフレーム内の保護タイムスロットを利用してアップリンク優先サブフレーム内のアップリンクチャネルと双方向サブフレーム内のダウンリンクチャネルを仕切り、双方が隣接する周波数ドメインに競合することを回避することができる。
【００４３】
いくつかの実施例において、図９に示すように、無線通信システムは、第２アップリンク優先サブフレーム及び第２ダウンリンク優先サブフレームを含み、ここで、時間ドメイン方向において、第２アップリンク優先サブフレームは第２ダウンリンク優先サブフレームの時間ドメインと位置が同じであり、周波数ドメイン方向において、第２アップリンク優先サブフレームと第２ダウンリンク優先サブフレームとの間に双方向トランジションサブフレームが設けられており、しかも双方向トランジションサブフレームの保護間隔は、第２アップリンク優先サブフレームのアップリンクチャネルと第２ダウンリンク優先サブフレームのダウンリンクチャネルを仕切る。
【００４４】
具体的に、アップリンク優先サブフレームとダウンリンク優先サブフレームが同じ時間（サブフレーム内）に配置される場合、２つのサブフレームは、周波数ドメインにおいて双方向トランジションサブフレームを挿入し、双方向トランジションサブフレーム内の保護タイムスロットを利用してアップリンク優先サブフレーム内のアップリンクチャネルとダウンリンク優先サブフレームサブフレーム内のダウンリンクチャネルを仕切り、双方が隣接する周波数ドメインに競合することを回避することができる。
【００４５】
３種のトランジションサブフレームを導入することによって３種の基本サブフレーム構成を周波数において柔軟に組み合わせることができる。
【００４６】
以上、図１〜図９を参照し、本発明の実施例における無線通信方法を詳しく説明しており、以下、図１０〜図１１を参照し、本発明の実施例における通信デバイスを詳しく説明する。なお、前記通信デバイスは基地局であってもよいし、端末であってもよい。前記通信デバイス側は方法側の記載に対応し、重複を回避するために、ここで説明を省略する。
【００４７】
図１０は本発明の実施例における通信デバイスの構成図である。図１０の通信デバイス１０００は、通信ユニット１０１０を含む。
【００４８】
通信ユニット１０１０は、無線通信システムにおいて、サブフレームで他の通信デバイスと通信するように構成され、前記無線通信ネットワークにおけるサブフレームは、ダウンリンク優先サブフレーム、アップリンク優先サブフレーム及び双方向サブフレームのうちの少なくとも１つを含み、ここで、前記ダウンリンク優先サブフレームは、時間ドメイン方向に沿って、ダウンリンク制御チャネル、ダウンリンクチャネル、保護間隔及びアップリンク制御チャネルを順に含み、前記アップリンク優先サブフレームは、時間ドメイン方向に沿って、ダウンリンク制御チャネル、保護間隔、アップリンクチャネル及びアップリンク制御チャネルを順に含み、前記双方向サブフレームは、時間ドメイン方向に沿って、ダウンリンク制御チャネル、保護間隔、アップリンクチャネル、ダウンリンクチャネル、保護間隔及びアップリンク制御チャネルを順に含み、ここで、前記ダウンリンク制御チャネルは、ダウンリンク制御情報を伝送するために用いられ、前記アップリンク制御チャネルは、アップリンク制御情報を伝送するために用いられ、前記ダウンリンクチャネルは、ダウンリンクデータ及び／又はダウンリンク制御情報を伝送するために用いられ、前記アップリンクチャネルは、アップリンクデータ及び／又はアップリンク制御情報を伝送するために用いられる。
【００４９】
本発明の実施例において、通信システムは、ダウンリンク優先サブフレーム、アップリンク優先サブフレーム及び双方向サブフレームにうちの少なくとも１つのサブフレームを導入し、サブフレームで搬送可能な情報タイプを増加させ、通信システムの情報伝送方式をより柔軟化させる。
【００５０】
選択可能で、１つの実施例として、前記ダウンリンク優先サブフレームのアップリンク制御チャネルは、前記ダウンリンク優先サブフレームのダウンリンクチャネル内のダウンリンクデータのＡＣＫ／ＮＡＣＫ情報を伝送するために用いられる。
【００５１】
選択可能で、１つの実施例として、前記アップリンク優先サブフレームのダウンリンク制御チャネルは、前記アップリンク優先サブフレームの１つ前のサブフレーム内のアップリンクデータのＡＣＫ／ＮＡＣＫ情報を伝送するために用いられる。
【００５２】
選択可能で、１つの実施例として、前記双方向サブフレームのダウンリンクチャネルは、前記双方向サブフレームのアップリンクチャネル内のアップリンクデータのＡＣＫ／ＮＡＣＫ情報を伝送するために用いられる。
【００５３】
選択可能で、１つの実施例として、前記双方向サブフレームのアップリンク制御チャネルは、前記双方向サブフレームのダウンリンクチャネル内のダウンリンクデータのＡＣＫ／ＮＡＣＫ情報を伝送するために用いられる。
【００５４】
選択可能で、１つの実施例として、前記無線通信ネットワークのサブフレームは、さらに、ダウンリンクトランジションサブフレーム、アップリンクトランジションサブフレーム及び双方向トランジションサブフレームのうちの少なくとも１つを含み、ここで、前記ダウンリンクトランジションサブフレームは、時間ドメイン方向に沿って、ダウンリンク制御チャネル、保護間隔、ダウンリンクチャネル、保護間隔、アップリンク制御チャネルを順に含み、前記アップリンクトランジションサブフレームは、時間ドメイン方向に沿って、ダウンリンク制御チャネル、保護間隔、アップリンクチャネル、保護間隔及びアップリンク制御チャネルを順に含み、前記双方向トランジションサブフレームは、時間ドメイン方向に沿って、ダウンリンク制御チャネル、保護間隔及びアップリンク制御チャネルを含む。
【００５５】
選択可能で、１つの実施例として、前記無線通信システムは、第１ダウンリンク優先サブフレーム及び第１双方向サブフレームを含み、ここで、時間ドメイン方向において、前記第１ダウンリンク優先サブフレームは前記第１双方向サブフレームの時間ドメインと位置が同じであり、周波数ドメイン方向において、前記第１ダウンリンク優先サブフレームと前記第１双方向サブフレームとの間にダウンリンクトランジションサブフレームが設けられており、しかも前記ダウンリンクトランジションサブフレームの保護間隔は、前記第１双方向サブフレームのアップリンクチャネルと前記第１ダウンリンク優先サブフレームのダウンリンクチャネルを仕切る。
【００５６】
選択可能で、１つの実施例として、前記無線通信システムは、第１アップリンク優先サブフレーム及び第２双方向サブフレームを含み、ここで、時間ドメイン方向において、前記第１アップリンク優先サブフレームは前記第２双方向サブフレームの時間ドメインと位置が同じであり、周波数ドメイン方向において、前記第１アップリンク優先サブフレームと前記第２双方向サブフレームとの間にアップリンクトランジションサブフレームが設けられており、しかも前記アップリンクトランジションサブフレームの保護間隔は、前記第２双方向サブフレームのダウンリンクチャネルと前記第１アップリンク優先サブフレームのアップリンクチャネルを仕切る。
【００５７】
選択可能で、１つの実施例として、前記無線通信システムは、第２アップリンク優先サブフレーム及び第２ダウンリンク優先サブフレームを含み、ここで、時間ドメイン方向において、前記第２アップリンク優先サブフレームは前記第２ダウンリンク優先サブフレームの時間ドメインと位置が同じであり、周波数ドメイン方向において、前記第２アップリンク優先サブフレームと前記第２ダウンリンク優先サブフレームとの間に双方向トランジションサブフレームが設けられており、しかも前記双方向トランジションサブフレームの保護間隔は、前記第２アップリンク優先サブフレームのアップリンクチャネルと前記第２ダウンリンク優先サブフレームのダウンリンクチャネルを仕切る。
【００５８】
選択可能で、１つの実施例として、前記双方向サブフレームのダウンリンク制御チャネルは、前記双方向サブフレームのアップリンクチャネルとダウンリンクチャネルとの割合情報を含む。
【００５９】
選択可能で、１つの実施例として、前記無線通信ネットワークにおけるサブフレームのダウンリンク制御チャネルは、サブフレームタイプを示すための情報を含む。
【００６０】
図１１は本発明の実施例における通信デバイスの構成図である。図１１の通信デバイス１１００は、メモリー１１１０及びプロセッサ１１２０を含む。
【００６１】
メモリー１１１０にプログラムが記憶されるように構成され、
プロセッサ１１２０は、前記メモリー１１１０に記憶されたプログラムを実行するように構成され、前記プログラムが実行される場合、前記プロセッサ１１２０は、無線通信システムにおいて、サブフレームで他の通信デバイスと通信し、前記無線通信ネットワークにおけるサブフレームは、ダウンリンク優先サブフレーム、アップリンク優先サブフレーム及び双方向サブフレームのうちの少なくとも１つを含み、ここで、前記ダウンリンク優先サブフレームは、時間ドメイン方向に沿って、ダウンリンク制御チャネル、ダウンリンクチャネル、保護間隔及びアップリンク制御チャネルを順に含み、前記アップリンク優先サブフレームは、時間ドメイン方向に沿って、ダウンリンク制御チャネル、保護間隔、アップリンクチャネル及びアップリンク制御チャネルを順に含み、前記双方向サブフレームは、時間ドメイン方向に沿って、ダウンリンク制御チャネル、保護間隔、アップリンクチャネル、ダウンリンクチャネル、保護間隔及びアップリンク制御チャネルを順に含み、ここで、前記ダウンリンク制御チャネルは、ダウンリンク制御情報を伝送するために用いられ、前記アップリンク制御チャネルは、アップリンク制御情報を伝送するために用いられ、前記ダウンリンクチャネルは、ダウンリンクデータ及び／又はダウンリンク制御情報を伝送するために用いられ、前記アップリンクチャネルは、アップリンクデータ及び／又はアップリンク制御情報を伝送するために用いられる。
【００６２】
本発明の実施例において、通信システムは、ダウンリンク優先サブフレーム、アップリンク優先サブフレーム及び双方向サブフレームにうちの少なくとも１つのサブフレームを導入し、サブフレームで搬送可能な情報タイプを増加させ、通信システムの情報伝送方式をより柔軟化させる。
【００６３】
選択可能で、１つの実施例として、前記ダウンリンク優先サブフレームのアップリンク制御チャネルは、前記ダウンリンク優先サブフレームのダウンリンクチャネル内のダウンリンクデータのＡＣＫ／ＮＡＣＫ情報を伝送するために用いられる。
【００６４】
選択可能で、１つの実施例として、前記アップリンク優先サブフレームのダウンリンク制御チャネルは、前記アップリンク優先サブフレームの１つ前のサブフレーム内のアップリンクデータのＡＣＫ／ＮＡＣＫ情報を伝送するために用いられる。
【００６５】
選択可能で、１つの実施例として、前記双方向サブフレームのダウンリンクチャネルは、前記双方向サブフレームのアップリンクチャネル内のアップリンクデータのＡＣＫ／ＮＡＣＫ情報を伝送するために用いられる。
【００６６】
選択可能で、１つの実施例として、前記双方向サブフレームのアップリンク制御チャネルは、前記双方向サブフレームのダウンリンクチャネル内のダウンリンクデータのＡＣＫ／ＮＡＣＫ情報を伝送するために用いられる。
【００６７】
選択可能で、１つの実施例として、前記無線通信ネットワークのサブフレームは、さらに、ダウンリンクトランジションサブフレーム、アップリンクトランジションサブフレーム及び双方向トランジションサブフレームのうちの少なくとも１つを含み、ここで、前記ダウンリンクトランジションサブフレームは、時間ドメイン方向に沿って、ダウンリンク制御チャネル、保護間隔、ダウンリンクチャネル、保護間隔、アップリンク制御チャネルを順に含み、前記アップリンクトランジションサブフレームは、時間ドメイン方向に沿って、ダウンリンク制御チャネル、保護間隔、アップリンクチャネル、保護間隔及びアップリンク制御チャネルを順に含み、前記双方向トランジションサブフレームは、時間ドメイン方向に沿って、ダウンリンク制御チャネル、保護間隔及びアップリンク制御チャネルを含む。
【００６８】
選択可能で、１つの実施例として、前記無線通信システムは、第１ダウンリンク優先サブフレーム及び第１双方向サブフレームを含み、ここで、時間ドメイン方向において、前記第１ダウンリンク優先サブフレームは前記第１双方向サブフレームの時間ドメインと位置が同じであり、周波数ドメイン方向において、前記第１ダウンリンク優先サブフレームと前記第１双方向サブフレームとの間にダウンリンクトランジションサブフレームが設けられており、しかも前記ダウンリンクトランジションサブフレームの保護間隔は、前記第１双方向サブフレームのアップリンクチャネルと前記第１ダウンリンク優先サブフレームのダウンリンクチャネルを仕切る。
【００６９】
選択可能で、１つの実施例として、前記無線通信システムは、第１アップリンク優先サブフレーム及び第２双方向サブフレームを含み、ここで、時間ドメイン方向において、前記第１アップリンク優先サブフレームは前記第２双方向サブフレームの時間ドメインと位置が同じであり、周波数ドメイン方向において、前記第１アップリンク優先サブフレームと前記第２双方向サブフレームとの間にアップリンクトランジションサブフレームが設けられており、しかも前記アップリンクトランジションサブフレームの保護間隔は、前記第２双方向サブフレームのダウンリンクチャネルと前記第１アップリンク優先サブフレームのアップリンクチャネルを仕切る。
【００７０】
選択可能で、１つの実施例として、前記無線通信システムは、第２アップリンク優先サブフレーム及び第２ダウンリンク優先サブフレームを含み、ここで、時間ドメイン方向において、前記第２アップリンク優先サブフレームは前記第２ダウンリンク優先サブフレームの時間ドメインと位置が同じであり、周波数ドメイン方向において、前記第２アップリンク優先サブフレームと前記第２ダウンリンク優先サブフレームとの間に双方向トランジションサブフレームが設けられており、しかも前記双方向トランジションサブフレームの保護間隔は、前記第２アップリンク優先サブフレームのアップリンクチャネルと前記第２ダウンリンク優先サブフレームのダウンリンクチャネルを仕切る。
【００７１】
選択可能で、１つの実施例として、前記双方向サブフレームのダウンリンク制御チャネルは、前記双方向サブフレームのアップリンクチャネルとダウンリンクチャネルとの割合情報を含む。
【００７２】
選択可能で、１つの実施例として、前記無線通信ネットワークにおけるサブフレームのダウンリンク制御チャネルは、サブフレームタイプを示すための情報を含む。
【００７３】
当業者であれば、本明細書に開示された実施例と組み合わせて説明された各例のユニット及びアルゴリズムステップは、電子ハードウェア、又はコンピュータソフトウェアと電子ハードウェアとの組み合わせで実現されてもよいと理解できる。ハードウェアとソフトウェアとの互換性を明確に説明するために、以上、機能に従って各実施例のステップ及び構成を説明する。これらの機能がハードウェア又はソフトウェアで実行されるかどうかは技術的解決策の特定アプリケーションと設計約束条件に依存する。専門技術者は各特定のアプリケーションに対して異なる方法を使用して説明された機能を実現することができるが、このような実現は本発明の範囲を超えていると考えられるべきではない。
【００７４】
当業者は便利且つ簡潔で説明するために、上述したシステム、装置とユニットの具体的な動作プロセスについて上記方法の実施例における対応するプロセスを参照でき、ここでは説明を省略することを明確に理解することができる。
【００７５】
本出願が提供するいくつかの実施例では、開示されたシステム、装置および方法は他の方式により実現されてもよいと理解すべきである。上述した装置の実施例は例示的なものだけであり、例えば、前記ユニットの区分はロジック機能的区分だけであり、実際に実施する時に他の区分方式もあり得て、例えば複数のユニットまたは部材は組み合わせられてもよいまたは別のシステムに統合されてもよく、又はいくつかの特徴は無視されてもよく、又は実行されなくてもよい。また、示されるまたは議論される相互結合又は直接的結合又は通信接続はいくつかのインターフェース、装置又はユニットを介する間接的結合又は通信接続であってもよく、電気的、機械的又は他の形態であってもよい。
【００７６】
分離部材として説明された前記ユニットは物理的に分離するものであってもよくまたは物理的に分離するものでなくてもよく、ユニットとして表示された部材は物理的ユニットであってもよくまたは物理的ユニットでなくてもよく、すなわち一つの箇所に位置してもよく、又は複数のネットワークユニットに分布してもよい。実際のニーズに応じてその中の一部または全てのユニットを選択して本実施例の解決策の目的を達成することができる。
【００７７】
前記ユニットはソフトウェア機能ユニットの形態で実現され且つ独立した製品として販売または使用される場合，一つのコンピュータ読み取り可能な記憶媒体に格納されてもよい。このような理解に基づき，本発明の技術的解決策は本質的にソフトウェア製品の形態で実現されてもよく、又は従来技術に貢献する部分又は該技術的解決策の部分がソフトウェア製品の形態で実現されてもよく、該コンピュータソフトウェア製品は一台のコンピュータ装置（パーソナルコンピュータ、サーバ、又はネットワーク装置などあってもよい）に本発明の各実施例に記載の方法の全部又は一部のステップを実行させるためのいくつかのコマンドを含む記憶媒体に記憶する。前記記憶媒体はＵディスク、モバイルハードディスク、読み出し専用メモリ（ＲＯＭ：Ｒｅａｄ−Ｏｎｌｙ  Ｍｅｍｏｒｙ）、ランダムアクセスメモリ（ＲＡＭ：Ｒａｎｄｏｍ  Ａｃｃｅｓｓ  Ｍｅｍｏｒｙ）、磁気ディスク又は光ディスク等のプログラムコードを記憶できる各種の媒体を含む。
【００７８】
以上は、本発明の最適的な実施例に過ぎず、本発明を制限せず、本分野の当業者に対して、本発明が各種類の変更と変化がある。本発明の主旨精神と原則以内に、いかなる改修、同等入れ替わり、改良等が、本発明の保護範囲以内に含まれるべきである。
【図１】
2019517163.tif 000004
【図２】
2019517163.tif 000005
【図３】
2019517163.tif 000006
【図４】
2019517163.tif 000007
【図５】
2019517163.tif 000008
【図６】
2019517163.tif 000009
【図７】
2019517163.tif 000010
【図８】
2019517163.tif 000011
【図９】
2019517163.tif 000012
【図１０】
2019517163.tif 000013
【図１１】
2019517163.tif 000014
【手続補正書】
【提出日】平成30年10月3日(2018.10.3)
【手続補正１】
【補正対象書類名】特許請求の範囲
【補正対象項目名】全文
【補正方法】変更
【補正の内容】
【特許請求の範囲】
【請求項１】
無線通信方法であって、
無線通信システムにおいて、通信デバイスはサブフレームで他の通信デバイスと通信することを含み、
無線通信ネットワークにおけるサブフレームは、ダウンリンク優先サブフレーム、アップリンク優先サブフレーム及び双方向サブフレームのうちの少なくとも１つを含み、
前記ダウンリンク優先サブフレームは、時間ドメイン方向に沿って、ダウンリンク制御チャネル、ダウンリンクチャネル、保護間隔及びアップリンク制御チャネルを順に含み、
前記アップリンク優先サブフレームは、時間ドメイン方向に沿って、ダウンリンク制御チャネル、保護間隔、アップリンクチャネル及びアップリンク制御チャネルを順に含み、
前記双方向サブフレームは、時間ドメイン方向に沿って、ダウンリンク制御チャネル、保護間隔、アップリンクチャネル、ダウンリンクチャネル、保護間隔及びアップリンク制御チャネルを順に含み、
前記ダウンリンク制御チャネルは、ダウンリンク制御情報を伝送するために用いられ、
前記アップリンク制御チャネルは、アップリンク制御情報を伝送するために用いられ、
前記ダウンリンクチャネルは、ダウンリンクデータ及び／又はダウンリンク制御情報を伝送するために用いられ、
前記アップリンクチャネルは、アップリンクデータ及び／又はアップリンク制御情報を伝送するために用いられる、無線通信方法。
【請求項２】
前記ダウンリンク優先サブフレームのアップリンク制御チャネルは、前記ダウンリンク優先サブフレームのダウンリンクチャネル内のダウンリンクデータのＡＣＫ／ＮＡＣＫ情報を伝送するために用いられる、
請求項１に記載の無線通信方法。
【請求項３】
前記アップリンク優先サブフレームのダウンリンク制御チャネルは、前記アップリンク優先サブフレームの１つ前のサブフレーム内のアップリンクデータのＡＣＫ／ＮＡＣＫ情報を伝送するために用いられる、
請求項１又は２に記載の無線通信方法。
【請求項４】
前記双方向サブフレームのダウンリンクチャネルは、前記双方向サブフレームのアップリンクチャネル内のアップリンクデータのＡＣＫ／ＮＡＣＫ情報を伝送するために用いられる、
請求項１乃至３のいずれか１項に記載の無線通信方法。
【請求項５】
前記双方向サブフレームのアップリンク制御チャネルは、前記双方向サブフレームのダウンリンクチャネル内のダウンリンクデータのＡＣＫ／ＮＡＣＫ情報を伝送するために用いられる、
請求項１乃至４のいずれか１項に記載の無線通信方法。
【請求項６】
前記無線通信ネットワークのサブフレームは、さらに、ダウンリンクトランジションサブフレーム、アップリンクトランジションサブフレーム及び双方向トランジションサブフレームのうちの少なくとも１つを含み、
前記ダウンリンクトランジションサブフレームは、時間ドメイン方向に沿って、ダウンリンク制御チャネル、保護間隔、ダウンリンクチャネル、保護間隔、アップリンク制御チャネルを順に含み、
前記アップリンクトランジションサブフレームは、時間ドメイン方向に沿って、ダウンリンク制御チャネル、保護間隔、アップリンクチャネル、保護間隔及びアップリンク制御チャネルを順に含み、
前記双方向トランジションサブフレームは、時間ドメイン方向に沿って、ダウンリンク制御チャネル、保護間隔及びアップリンク制御チャネルを順に含む、
請求項１乃至５のいずれか１項に記載の無線通信方法。
【請求項７】
前記無線通信システムは、第１ダウンリンク優先サブフレーム及び第１双方向サブフレームを含み、ここで、時間ドメイン方向において、前記第１ダウンリンク優先サブフレームは前記第１双方向サブフレームの時間ドメインと位置が同じであり、周波数ドメイン方向において、前記第１ダウンリンク優先サブフレームと前記第１双方向サブフレームとの間にダウンリンクトランジションサブフレームが設けられており、しかも前記ダウンリンクトランジションサブフレームの保護間隔は、前記第１双方向サブフレームのアップリンクチャネルと前記第１ダウンリンク優先サブフレームのダウンリンクチャネルを仕切る、  請求項６に記載の無線通信方法。
【請求項８】
前記無線通信システムは、第１アップリンク優先サブフレーム及び第２双方向サブフレームを含み、ここで、時間ドメイン方向において、前記第１アップリンク優先サブフレームは前記第２双方向サブフレームの時間ドメインと位置が同じであり、周波数ドメイン方向において、前記第１アップリンク優先サブフレームと前記第２双方向サブフレームとの間にアップリンクトランジションサブフレームが設けられており、しかも前記アップリンクトランジションサブフレームの保護間隔は、前記第２双方向サブフレームのダウンリンクチャネルと前記第１アップリンク優先サブフレームのアップリンクチャネルを仕切る、  請求項６又は７に記載の無線通信方法。
【請求項９】
前記無線通信システムは、第２アップリンク優先サブフレーム及び第２ダウンリンク優先サブフレームを含み、ここで、時間ドメイン方向において、前記第２アップリンク優先サブフレームは前記第２ダウンリンク優先サブフレームの時間ドメインと位置が同じであり、周波数ドメイン方向において、前記第２アップリンク優先サブフレームと前記第２ダウンリンク優先サブフレームとの間に双方向トランジションサブフレームが設けられており、しかも前記双方向トランジションサブフレームの保護間隔は、前記第２アップリンク優先サブフレームのアップリンクチャネルと前記第２ダウンリンク優先サブフレームのダウンリンクチャネルを仕切る、
請求項６乃至８のいずれか１項に記載の無線通信方法。
【請求項１０】
前記双方向サブフレームのダウンリンク制御チャネルは、前記双方向サブフレームのアップリンクチャネルとダウンリンクチャネルとの割合情報を含む、
請求項１乃至９のいずれか１項に記載の無線通信方法。
【請求項１１】
前記無線通信ネットワークにおけるサブフレームのダウンリンク制御チャネルは、サブフレームタイプを示すための情報を含む、
請求項１乃至１０のいずれか１項に記載の無線通信方法。
【国際調査報告】
2019517163.tif 000015
2019517163.tif 000016
2019517163.tif 000017
2019517163.tif 000018